(57)【特許請求の範囲】
【請求項１】
キャビネットの開閉部の前方に設けられたバー取手に対して取付自在である支持部と、
前記バー取手よりも前方にタオルを保持するタオル保持部と、
前記バー取手の断面形状が略円形であっても、前記支持部を前記バー取手に取り付けた
際に前記支持部が前記バー取手を軸に下方へ回転してしまうことを規制する規制手段を備
え、
前記支持部は、前記開閉部の前面に支持脚を介して設けられた前記バー取手に対して取
付自在であり、
前記規制手段は、前記支持部が前記バー取手に取り付けられた状態で、前記バー取手の
長手方向に沿って前記支持部から延出した延出部であり、
前記延出部は、前記支持部が前記バー取手に取り付けられた状態で前記支持脚の下面と
当接する下面当接部を有し、
前記下面当接部は、前記支持部が前記バー取手を軸に回転してしまうことを規制するこ
とを特徴とするタオルハンガー。
【請求項２】
前記延出部は、前記支持部が前記バー取手に取り付けられた状態で前記タオル保持部に
上方向への力が加わった際に、前記支持脚の上面と当接する上面当接部をさらに有するこ
とを特徴とする請求項１に記載のタオルハンガー。
【請求項３】
前記支持部が上下反転され前記バー取手に取り付けられることで、前記上面当接部が前
記支持脚の下面と当接し、前記下面当接部が前記支持脚の上面と当接することを特徴とす
る請求項２に記載のタオルハンガー。
【請求項４】
前記タオル保持部は、前記支持部が前記バー取手に取り付けられた状態で前記バー取手
より高い位置に設けられており、
前記タオル保持部と前記支持部及び前記延出部とは、別体に形成されており、
前記タオル保持部は、前記支持部に対して取付自在に設けられていることを特徴とする
請求項３に記載のタオルハンガー。
【請求項５】
キャビネットの開閉部の前方に設けられたバー取手に対して取付自在である支持部と、
前記バー取手よりも前方にタオルを保持するタオル保持部と、
前記バー取手の断面形状が略円形であっても、前記支持部を前記バー取手に取り付けた
際に前記支持部が前記バー取手を軸に下方へ回転してしまうことを規制する規制手段を備
え、
前記規制手段は、前記支持部と前記バー取手との間に設けられ、前記支持部の表面及び
前記バー取手の表面より粗い表面を有する高摩擦部であることを特徴とするタオルハンガー。
【請求項６】
キャビネットの開閉部の前方に設けられたバー取手に対して取付自在である支持部と、
前記バー取手よりも前方にタオルを保持するタオル保持部と、
前記バー取手の断面形状が略円形であっても、前記支持部を前記バー取手に取り付けた
際に前記支持部が前記バー取手を軸に下方へ回転してしまうことを規制する規制手段を備
えたタオルハンガーであって、
前記規制手段は、前記タオルハンガーから延出し、前記キャビネットに係合することで
前記支持部が前記バー取手を軸に下方へ回転してしまうことを規制する係合部であること
を特徴とするタオルハンガー。
【発明の詳細な説明】
【技術分野】
【０００１】
本発明の態様は、一般的に、キャビネットに設置されるタオルハンガーに関する。
【背景技術】
【０００２】
例えばキッチンや洗面化粧台において、水洗作業後などに、タオルが使用される。タオルは、例えば、使用後に乾燥させるため、タオル掛け（タオルハンガー）などにかけられる。例えば、ライン取手が取り付けられているタイプのキッチンキャビネットにおいて、ライン取手に取り付けられるタオル掛け（タオルハンガー）がある（特許文献１）。
【０００３】
バー取手が取り付けられているタイプのキャビネットにおいては、使用者は、バー取手に直接タオルを掛けることがある。このバー取手は、使用者がキャビネットの扉を開閉するときに利用される。しかし、一般的に、バー取手はキャビネットの前面（扉の表面）に取り付けられているため、バー取手にタオルを直接掛けると、キャビネットの前面とタオルとが互いに当接することがある。キャビネットと濡れた状態のタオルとが互いに当接すると、キャビネットと当接している分タオルが乾くのが遅くなるため、タオルに菌などが繁殖しやすくなり、衛生的でないという問題がある。この問題の発生を抑制するために、バー取手よりも前方にタオルを掛けることができるタオルハンガーをバー取手に取り付ける方法が考えられる。このタオルハンガーにタオルを掛けることで、キャビネットの前面から離れた位置にタオルを配置することができる。
【０００４】
一方で、バー取手の断面形状が円形であると、バー取手にタオルハンガーを設置した際に、タオルハンガー自身の自重やタオルハンガーから下方へタオルを引き抜く動作によって、タオルハンガーがバー取手の断面形状に沿って回転してしまい、正しくタオルハンガーをバー取手に保持させることができないといった課題がある。
【先行技術文献】
【特許文献】
【０００５】
【特許文献１】特開２０１２−１５７３９８号公報
【発明の概要】
【発明が解決しようとする課題】
【０００６】
本発明は、かかる課題の認識に基づいてなされたものであり、バー取手よりも前方にタオルを掛けることができるタオルハンガーであって、バー取手の断面形状が円形であっても、タオルハンガー自身の自重やタオルハンガーから下方へタオルを引き抜く動作によってタオルハンガーがバー取手の断面形状に沿って回転してしまうことを抑制できるタオルハンガーを提供することを目的とする。
【課題を解決するための手段】
【０００７】
第１の発明は、キャビネットの開閉部の前方に設けられたバー取手に対して取付自在で
ある支持部と、前記バー取手よりも前方にタオルを保持するタオル保持部と、前記バー取
手の断面形状が略円形であっても、前記支持部を前記バー取手に取り付けた際に前記支持
部が前記バー取手を軸に下方へ回転してしまうことを規制する規制手段を備え、前記支持部は、前記開閉部の前面に支持脚を介して設けられた前記バー取手に対して取付自在であり、前記規制手段は、前記支持部が前記バー取手に取り付けられた状態で、前記バー取手の長手方向に沿って前記支持部から延出した延出部であり、前記延出部は、前記支持部が前記バー取手に取り付けられた状態で前記支持脚の下面と当接する下面当接部を有し、前記下面当接部は、前記支持部が前記バー取手を軸に回転してしまうことを規制することを特徴とするタオルハンガー。
【０００８】
このタオルハンガーによれば、タオルハンガーは支持部がバー取手を軸に下方へ回転し
てしまうことを規制する規制手段を備えているため、バー取手の断面形状が略円形であっ
ても、タオルハンガーを取り付けた際にタオルハンガーが自重によってバー取手を軸に回
転してしまうことを抑制することができ、タオルハンガーに掛けた濡れた状態のタオルが
、タオルハンガーの自重による回転によってキャビネットの開閉部の前面に当接してしま
うことを抑制できる。
さらに、このタオルハンガーによれば、規制手段は、支持部がバー取手に取り付けられた状態で、バー取手の長手方向に沿って支持部から延出した延出部であり、延出部は、支持部がバー取手に取り付けられた状態で支持脚の下面と当接する下面当接部を有するため、バー取手の断面形状が略円形であっても、タオルハンガーを取り付けた際にタオルハンガーが自重によってバー取手を軸に回転してしまうことを下面当接部が支持脚の下面と当接することで規制することができる。このような簡単な構成によって、タオル保持部に掛けた濡れた状態のタオルが、タオルハンガーの自重による回転によってキャビネットの開閉部の前面に当接してしまうことを抑制できる。
【００１１】
第２の発明は、第１の発明において、前記延出部は、前記支持部が前記バー取手に取り
付けられた状態で前記タオル保持部に上方向への力が加わった際に、前記支持脚の上面と
当接する上面当接部をさらに有することを特徴とするタオルハンガーである。
【００１２】
このタオルハンガーによれば、延出部は、支持部がバー取手に取り付けられた状態でタオル保持部に上方向への力が加わった際に、支持脚の上面と当接する上面当接部を有するため、バー取手の断面形状が略円形であっても、タオル保持部に掛けられたタオルを上方から引き抜く際に、タオルハンガーがバー取手を軸に回転してしまうことを上面当接部が支持脚の上面と当接することで規制することができる。このような簡単な構成によって、タオル保持部に掛けられたタオルを上方から引き抜く際にタオルハンガーがガタつき不安定になってしまったり、タオル保持部に掛けられたタオルを上方から引き抜く際にタオルハンガーが回転してしまい、タオルハンガーがキャビネットにぶつかってタオルハンガーやキャビネットが傷ついてしまう可能性を低減できる。
【００１３】
第３の発明は、第２の発明において、前記支持部が上下反転され前記バー取手に取り付
けられることで、前記上面当接部が前記支持脚の下面と当接し、前記下面当接部が前記支
持脚の上面と当接することを特徴とするタオルハンガーである。
【００１４】
このタオルハンガーによれば、支持部が上下反転されバー取手に取り付けられることで、上面当接部が支持脚の下面と当接し、下面当接部が支持脚の上面と当接するため、支持脚がバー取手の左右どちらに設けられていても、タオルハンガーの回転を抑制できる。
【００１５】
第４の発明は、第３の発明において、前記タオル保持部は、前記支持部が前記バー取手
に取り付けられた状態で前記バー取手より高い位置に設けられており、前記タオル保持部
と前記支持部及び前記延出部とは、別体に形成されており、前記タオル保持部は、前記支
持部に対して取付自在に設けられていることを特徴とするタオルハンガーである。
【００１６】
このタオルハンガーによれば、タオル保持部はバー取手より高い位置に設けられているため、使用者は、タオル保持部に掛けられたタオルを取りやすい。しかし、この際、タオルハンガーが一体に形成されていると、支持部が上下反転した際に、タオル保持部がバー取手より低い位置に設けられてしまう。そこで、タオル保持部と支持部及び延出部とを別体に形成し、タオル保持部を支持部に対して取付自在に設けることで、支持部が上下反転した際にも、タオル保持部をバー取手より高い位置に保つことができる。
【００１７】
第５の発明は、キャビネットの開閉部の前方に設けられたバー取手に対して取付自在である支持部と、前記バー取手よりも前方にタオルを保持するタオル保持部と、前記バー取手の断面形状が略円形であっても、前記支持部を前記バー取手に取り付けた際に前記支持部が前記バー取手を軸に下方へ回転してしまうことを規制する規制手段を備え、前記規制手段は、前記支持部と前記バー取手との間に設けられ、前記支持部の表面及び前記バー取手の表面より粗い表面を有する高摩擦部であることを特徴とするタオルハンガーである。
【００１８】
このタオルハンガーによれば、タオルハンガーは支持部がバー取手を軸に下方へ回転し
てしまうことを規制する規制手段を備えているため、バー取手の断面形状が略円形であっ
ても、タオルハンガーを取り付けた際にタオルハンガーが自重によってバー取手を軸に回
転してしまうことを抑制することができ、タオルハンガーに掛けた濡れた状態のタオルが
、タオルハンガーの自重による回転によってキャビネットの開閉部の前面に当接してしま
うことを抑制できる。
さらに、このタオルハンガーによれば、規制手段は、支持部とバー取手との間に設けられ、支持部の表面及びバー取手の表面より粗い表面を有する高摩擦部であるため、バー取手の断面形状が略円形であっても、タオルハンガーを取り付けた際にタオルハンガーが自重によってバー取手を軸に回転してしまうことを高摩擦部によって抑制することができる。したがって、このような簡単な構成によって、タオル保持部に掛けた濡れた状態のタオルが、タオルハンガーの自重による回転によってキャビネットの開閉部の前面に当接してしまうことを抑制できる。
【００２１】
第６の発明は、キャビネットの開閉部の前方に設けられたバー取手に対して取付自在である支持部と、前記バー取手よりも前方にタオルを保持するタオル保持部と、前記バー取手の断面形状が略円形であっても、前記支持部を前記バー取手に取り付けた際に前記支持部が前記バー取手を軸に下方へ回転してしまうことを規制する規制手段を備え、前記規制手段は、前記タオルハンガーから延出し、前記キャビネットに係合することで前記支持部が前記バー取手を軸に下方へ回転してしまうことを規制する係合部であることを特徴とするタオルハンガーである。
【００２２】
このタオルハンガーによれば、タオルハンガーは支持部がバー取手を軸に下方へ回転し
てしまうことを規制する規制手段を備えているため、バー取手の断面形状が略円形であっ
ても、タオルハンガーを取り付けた際にタオルハンガーが自重によってバー取手を軸に回
転してしまうことを抑制することができ、タオルハンガーに掛けた濡れた状態のタオルが
、タオルハンガーの自重による回転によってキャビネットの開閉部の前面に当接してしま
うことを抑制できる。
さらに、このタオルハンガーによれば、規制手段は、タオルハンガーから延出し、キャビネットに係合することで支持部がバー取手を軸に下方へ回転してしまうことを規制する係合部であるため、バー取手の断面形状が略円形であっても、タオルハンガーを取り付けた際にタオルハンガーが自重によってバー取手を軸に回転してしまうことを係合部がキャビネットに係合することで規制することができる。このような簡単な構成によって、タオル保持部に掛けた濡れた状態のタオルが、タオルハンガーの自重による回転によってキャビネットの開閉部の前面に当接してしまうことを抑制できる。
【発明の効果】
【００２３】
本発明の態様によれば、バー取手よりも前方にタオルを掛けることができるタオルハンガーであって、バー取手の断面形状が円形であっても、タオルハンガー自身の自重やタオルハンガーから下方へタオルを引き抜く動作によってタオルハンガーがバー取手の断面形状に沿って回転してしまうことを抑制できるタオルハンガーを提供することができる。
【図面の簡単な説明】
【００２４】
【図１】本発明の第１の実施の形態に係るタオルハンガーが設置されたキッチンを示す模式的斜視図である。
【図２】図１のタオルハンガーが設置されたバー取手を示す模式的斜視図である。
【図３】図２のタオルハンガーが設置されたバー取手の模式的側面図である。
【図４】図３のタオルハンガーが設置されたバー取手において、タオル保持部を外した状態を示す模式的斜視図である。
【図５】図４のタオル保持部を外した状態のタオルハンガーが設置されたバー取手を示す模式側面図である。
【図６】図３のタオルハンガーが設置されたバー取手において、タオル保持部を外した状態を示す模式的斜視図である。
【図７】図５のタオルハンガーの第一部材を示す模式的斜視図である。
【図８】図５のタオルハンガーの第一部材を示す模式的斜視図である。
【図９】本発明の第２の実施の形態に係るタオルハンガーの第一部材を示す模式的斜視図である。
【図１０】本発明の第３の実施の形態に係るタオルハンガーが設置されたバー取手の模式的側面図である。
【図１１】本発明の第４の実施の形態に係るタオルハンガーが設置されたバー取手の模式的側面図である。
【図１２】本発明の第５の実施の形態に係るタオルハンガーが設置されたバー取手の模式的側面図である。
【発明を実施するための形態】
【００２５】
以下、本発明の実施の形態について図面を参照しつつ説明する。なお、各図面中、同様の構成要素には同一の符号を付して詳細な説明は適宜省略する。
また、本発明において、使用者が調理するためにキッチン１００に向かって立っている位置が、キッチン１００に対する「前方」であると定義する。
【００２６】
図１は、本発明の第１の実施の形態に係るタオルハンガーが設置されたキッチンを示す模式的斜視図である。
【００２７】
図１に示すように、キッチン１００は、キッチンキャビネット（キャビネット）１０２と、キャビネット１０２の上方に載置されているキッチンカウンター１０４と、キッチンカウンター１０４の上面に設けられているコンロ１０６及び水栓装置１０８と、を備えている。キッチンカウンター１０４は、シンク１１０を有しており、水栓装置１０８は、シンク１１０の内部へ水を吐出させる。
【００２８】
キャビネット１０２は、複数の引出し１１２と、引出し１１２の前板（開閉部）１１４の前方に設けられたバー取手１１６と、を有している。引出し１１２は、例えば木製である。バー取手１１６は、例えば金属製である。バー取手１１６は、バー取手１１６のそれぞれの端部付近に接続された２本の支持脚１１８を介して、開閉部１１４の前面に固定されている。また、バー取手１１６には、タオルハンガー１が設置されている。タオルハンガー１は、例えば金属製である。
【００２９】
図２は、図１のタオルハンガーが設置されたバー取手を示す模式的斜視図である。図３は、図２のタオルハンガーが設置されたバー取手の模式的側面図である。図４は、図３のタオルハンガーが設置されたバー取手において、タオル保持部を外した状態を示す模式的斜視図である。図５は、図４のタオル保持部を外した状態のタオルハンガーが設置されたバー取手を示す模式側面図である。
【００３０】
図２〜５に示すように、タオルハンガー１は、根元部分を構成する第一部材２と、第一部材２とは別部材で構成された第二部材（タオル保持部）４と、を備えている。第一部材２は、キャビネット１０２の開閉部１１４に設けられたバー取手１１６に対して取付自在である支持部６と、支持部６がバー取手１１６に取り付けられた状態で、バー取手１１６の長手方向に沿って支持部６から延出した延出部（規制手段）８と、を有している。
【００３１】
延出部８は、支持部６がバー取手１１６に取り付けられた状態でバー取手１１６の支持脚１１８の下面と当接する下面当接部８ａを有している。この下面当接部８ａは、支持部６がバー取手１１６を軸に回転してしまうことを規制する。このことにより、バー取手１１６の側面形状が略円形であっても、タオルハンガー１を取り付けた際にタオルハンガー１が自重によってバー取手１１６を軸に回転してしまうことを下面当接部８ａが支持脚１１８の下面と当接することで規制することができる。このような簡単な構成によって、タオル保持部４に掛けた濡れた状態のタオルが、タオルハンガー１の自重による回転によってキャビネット１０２の開閉部１１４の前面に当接してしまうことを抑制できる。
【００３２】
延出部８は、支持部６がバー取手１１６に取り付けられた状態でタオル保持部４に上方向への力が加わった際に、支持脚１１８の上面と当接する上面当接部８ｂをさらに有する。このことにより、バー取手１１６の側面形状が略円形であっても、タオル保持部４に掛けられたタオルを上方から引き抜く際に、タオルハンガー１がバー取手１１６を軸に回転してしまうことを上面当接部８ｂが支持脚１１８の上面と当接することで規制することができる。このような簡単な構成によって、タオル保持部４に掛けられたタオルを上方から引き抜く際にタオルハンガー１がガタつき不安定になってしまったり、タオル保持部４に掛けられたタオルを上方から引き抜く際にタオルハンガー１が回転してしまい、タオルハンガー１がキャビネット１０２にぶつかってタオルハンガー１やキャビネット１０２が傷ついてしまう可能性を低減できる。
【００３３】
タオル保持部４は、支持部６がバー取手１１６に取り付けられた状態でバー取手１１６より高い位置に設けられている。このことにより、使用者は、タオル保持部４に掛けられたタオルを上方から取りやすい。また、使用者は、タオル保持部４から下方にぶら下がったタオルを掴んで、手を拭きやすい。
【００３４】
タオルハンガー１の取り付け方法について説明する。
まず、使用者は、第一部材２を、支持部６がバー取手１１６に嵌まり込むように設置させる（手順１）。この状態では、延出部８が支持脚１１８に当接していない状態であるため、第一部材２はバー取手１１６に対して回転自在である。
【００３５】
次に、使用者は、第一部材２を、バー取手１１６の軸方向（長手方向）に向かってスライドさせ、延出部８の下面当接部８ａが支持脚１１８の下面と当接する位置、且つ、延出部８の上面当接部８ｂが支持脚１１８の上面と当接する位置、となるように取り付ける（手順２）。この状態においては、延出部８の下面当接部８ａが支持脚１１８の下面と当接しているため、タオルハンガー１が自重によってバー取手１１６を軸に回転してしまうことが規制されている。また、この状態においては、延出部８の上面当接部８ｂが支持脚１１８の上面と当接しているため、タオル保持部４に掛けられたタオルを上方から引き抜く際に、タオルハンガー１がバー取手１１６を軸に回転してしまうことが規制されている。このように、第一部材２を、バー取手１１６の軸方向（長手方向）に向かってスライドさせるように取り付けることで、バー取手１１６の上に存在していた水滴などを、第一部材２のスライド移動動作によってバー取手１１６及び支持脚１１８から払いのけることができるため、バー取手１１６及び支持脚１１８に残存した水滴が乾いて水垢になってしまうことを防ぐことができる。
【００３６】
続いて、使用者は、第二部材４を、第一部材２に嵌め込み、着脱自在に固定させる（手順３）。この際、第二部材４は、第一部材２に設けられた突出部１０の間において第一部材２に嵌め込まれるため、左右方向のガタ付きの発生も抑制されている。
【００３７】
本発明の実施の形態においては、手順１を行った後、手順２を行い、続いて手順３を行うことで、タオルハンガー１をバー取手１１６に取り付けるものであったが、これはあくまで一例であって、例えば、手順１を行った後、手順３を行い、続いて手順２を行うものであっても良い。
ただ、第一部材２の延出部８を支持脚１１８に当接させた後、安定した状態（第一部材２がバー取手１１６に対して回転しない状態）で第二部材４を第一部材２に嵌め込み固定させる方が、作業性が良い。したがって、手順１を行った後、手順２を行い、続いて手順３を行うことが好ましい。
【００３８】
図６は、図３のタオルハンガーが設置されたバー取手において、タオル保持部を外した状態を示す模式的斜視図である。図７は、図５のタオルハンガーの第一部材を示す模式的斜視図である。図８は、図５のタオルハンガーの第一部材を示す模式的斜視図である。
なお、図７（ａ）は、図５と同じ状態の第一部材を示す模式的斜視図であり、図７（ｂ）は、図７（ａ）に示した状態から上下及び左右を反転させた第一部材を示す模式的斜視図である。
また、図８（ａ）は、図５に示した状態から上下を反転させた第一部材を示す模式的斜視図であり、図８（ｂ）は、図８（ａ）に示した状態から上下及び左右を反転させた第一部材を示す模式的斜視図である。
【００３９】
図６に示すように、第一部材２を、図４に示した状態から上下反転させ、上述した手順１〜３を行うことで、図４に示した状態において第一部材２が取り付けられた支持脚１１８とは反対側のバー取手１１６の端部付近に設けられた支持脚１１８に第一部材２を取り付けることができる。この際、上面当接部８ｂは支持脚１１８の下面と当接し、下面当接部８ａが支持脚１１８の上面と当接することとなる。このことにより、支持脚１１８がバー取手１１６の左右どちらに設けられていても、タオルハンガー１の回転を抑制できるとともに、使用者の好みやキャビネット１０２及びキャビネット１０２を備えたキッチン１００の使用状況によって、左右どちらにタオルハンガー１を設けるか選択できるようになる。
【００４０】
また、この際、タオルハンガー１において第一部材２及び第二部材４が一体に形成されていると、支持部６が上下反転した際に、タオル保持部２がバー取手１１６より低い位置に設けられてしまう。そこで、第一部材２（タオル保持部２）と第二部材４（支持部６及び延出部８）とを別体に形成し、タオル保持部２を支持部６に対して取付自在に設けることで、支持部６が上下反転した際にも、タオル保持部２をバー取手１１６より高い位置に保つことができる。
【００４１】
図７、８に示すように、突出部１０は、第一部材２の上下両面に設けられている。このことにより、支持部６が図４に示した状態から上下反転された際にも、第二部材４を、第一部材２に設けられた突出部１０の間において第一部材２に嵌め込むことができるため、左右方向のガタ付きの発生を抑制できる。
【００４２】
第一部材２は、上下両面において対称となるように（シンメトリーに）、構成されている。このような構成とすることにより、第一部材２を成形するための金型も上下に対称となるものであれば良いため、金型製造費用も削減できる。
【００４３】
図９は、本発明の第２の実施の形態に係るタオルハンガーの第一部材を示す模式的斜視図である。
【００４４】
図９に示すように、本発明の第２の実施の形態に係るタオルハンガー１Ａ（図示せず）の第一部材２Ａは、支持脚１１８の一部及びバー取手１１６の端部を覆うように取り付けられるキャップ本体１２と、キャップ本体１２を支持脚１１８及びバー取手１１６に固定させるキャップ固定部１４を有している。キャップ固定部１４は、支持脚１１８の一部及びバー取手１１６の端部を覆うように取り付けられるキャップ本体１２に対して、バー取手１１６の軸方向からスライドするように、固定される。このキャップ固定部１４によって、キャップ本体１２が支持脚１１８及びバー取手１１６から外れないようになる。
【００４５】
図１０は、本発明の第３の実施の形態に係るタオルハンガーの第一部材を示す模式的斜視図である。
【００４６】
図１０に示すように、本発明の第３の実施の形態に係るタオルハンガー１Ｂの第一部材２Ｂは、第一部材２Ｂから延出し、タオル保持部４より下方において開閉部１１４と当接するキャビネット当接部（規制手段）１６を有している。このキャビネット当接部１６によって、支持部６がバー取手１１６を軸に下方へ回転してしまうことを規制することで、タオル保持部４に掛けた濡れた状態のタオルが、タオルハンガー１Ｂの自重による回転によってキャビネット１０２の開閉部１１４の前面に当接してしまうことを抑制できる。
【００４７】
キャビネット当接部１６は、開閉部１１４の前面に対して例えば面状に当接している。このことにより、開閉部１１４の前面に傷が付いてしまったり、跡が残ってしまったりすることを抑制できる。
【００４８】
図１１は、本発明の第４の実施の形態に係るタオルハンガーが設置されたバー取手の模式的側面図である。
【００４９】
図１１に示すように、本発明の第４の実施の形態に係るタオルハンガー１Ｃは、支持部６とバー取手１１６との間には、支持部６の表面及びバー取手１１６の表面より粗い表面を有する高摩擦部（規制手段）１８が設けられている。なお、本発明において、表面が「粗い」とは、表面に形成された微小サイズの凹凸の起伏が激しい、又は、表面に形成された微小サイズの凹凸の起伏の間隔が狭いことを指し、支持部６の表面及びバー取手１１６の表面より「粗い」表面とは、例えば、支持部６の表面及びバー取手１１６の表面より（単位面積当たりの）摩擦係数の高い表面、のことである。
【００５０】
高摩擦部１８は、例えば、支持部６に接着されており、支持部６をバー取手１１６に取り付けた際に、支持部６とバー取手１１６との間に位置することとなる。この高摩擦部１８によって、極めて簡単な構成で、タオル保持部４に掛けた濡れた状態のタオルが、タオルハンガー１Ｃの自重による回転によってキャビネット１０２の開閉部１１４の前面に当接してしまうことを抑制できる。
【００５１】
本発明において、高摩擦部１８は、支持部６に接着されているものであったが、それに限らず、例えば、支持部６に一体に形成、即ち、支持部６のバー取手１１６と当接する表面に高摩擦部１８が設けられるものであっても良い。
【００５２】
図１２は、本発明の第５の実施の形態に係るタオルハンガーが設置されたバー取手の模式的側面図である。
【００５３】
図１２に示すように、本発明の第５の実施の形態に係るタオルハンガー１Ｄは、第二部材４Ｄから延出し、キャビネット１０２に係合する係合部（規制手段）２０を有する。この係合部２０は、開閉部１１４の上端に引っ掛かることで、支持部６がバー取手１１６を軸に下方へ回転してしまうことを規制する。このことにより、極めて簡単な構成で、タオル保持部４に掛けた濡れた状態のタオルが、タオルハンガー１Ｄの自重による回転によってキャビネット１０２の開閉部１１４の前面に当接してしまうことを抑制できる。
【００５４】
なお、本発明の第５の実施の形態においては、係合部２０を第二部材４Ｄに設けるものであったが、それに限らず、第一部材２Ｄに設けるものであっても良い。
【００５５】
以上、本発明の実施の形態について説明した。しかし、本発明はこれらの記述に限定されるものではない。
【００５６】
本発明の一実施形態において、キャビネット１０２はキッチン１００に備えられたものであったが、それに限らず、例えば、洗面化粧台などに備えられたものであっても良い。
【００５７】
前述の実施の形態に関して、当業者が適宜設計変更を加えたものも、本発明の特徴を備えている限り、本発明の範囲に包含される。例えば、タオルハンガー１、１Ａ、１Ｂ、１Ｃ、１Ｄやキッチンキャビネット１００などが備える各要素の形状、寸法、材質、配置などは、例示したものに限定されるわけではなく適宜変更することができる。
また、前述した各実施の形態が備える各要素は、技術的に可能な限りにおいて組み合わせることができ、これらを組み合わせたものも本発明の特徴を含む限り本発明の範囲に包含される。
【符号の説明】
【００５８】
１、１Ａ、１Ｂ、１Ｃ、１Ｄ タオルハンガー、  ２、２Ａ、２Ｂ、２Ｄ 第一部材、  ４、４Ｄ 第二部材（タオル保持部）、  ６ 支持部、  ８ 延出部（規制手段）、  ８ａ 下面当接部、  ８ｂ 上面当接部、  １０ 突出部、  １２ キャップ本体、  １４ キャップ固定部、  １６ キャビネット当接部（規制手段）、  １８ 高摩擦部（規制手段）、  ２０ 係合部（規制手段）、  １００ キッチン、  １０２ キャビネット、  １０４ キッチンカウンター、  １０６ コンロ、  １０８ 水栓装置、  １１０ シンク、  １１２ 引出し、  １１４ 前板（開閉部）、  １１６ バー取手、  １１８ 支持脚
【図１】
0006784034.tif 000002
【図２】
0006784034.tif 000003
【図３】
0006784034.tif 000004
【図４】
0006784034.tif 000005
【図５】
0006784034.tif 000006
【図６】
0006784034.tif 000007
【図７】
0006784034.tif 000008
【図８】
0006784034.tif 000009
【図９】
0006784034.tif 000010
【図１０】
0006784034.tif 000011
【図１１】
0006784034.tif 000012
【図１２】
0006784034.tif 000013